(57)【要約】【課題】本発明は、高い給水性能をもつ給水ポンプが、受水槽に、現地での据付施工やメンテナンスが容易で、さらには受水槽の振動騒音が抑えられるように組付けられた受水槽付給水ポンプユニットを提供する。【解決手段】本発明は、幅寸法が小さくて高い給水性能が発揮し得るという特徴のある水中ポンプ１２を、水中ポンプ１２の吐出部１７と受水槽１の吐出口部１０との間が可とう性の管部材１９で接続されながら、受水槽１の内底面側に置く構成を採用した。【選択図】      図１
2006028749.tif 000002
【特許請求の範囲】
【請求項１】
外部からの給水を溜める受水槽と、
前記受水槽内に配置され、該受水槽内の水を槽外へ圧送する水中ポンプとを有し、
前記水中ポンプは、該水中ポンプの吐出部と前記受水槽の吐出口部との間が可とう性の管部材により接続されて、前記受水槽の内底面側へ置かれる構成としてある
ことを特徴とする受水槽付給水ポンプユニット。
【請求項２】
前記管部材は、塩化ビニル製のホースであることを特徴とする請求項１に記載の受水槽付給水ポンプユニット。
【請求項３】
前記水中ポンプは、防振性を有するポンプ支え脚によって、前記受水槽の内底面側に置かれていることを特徴とする請求項１または請求項２に記載の受水槽付給水ポンプユニット。
【請求項４】
前記ポンプ支え脚は、前記水中ポンプを周囲から挟み込んで保持するバンド部と、このバンド部に設けられ該バンド部で保持された水中ポンプを前記受水槽の内底面に載置させる脚部と、前記バンド部から前記脚部までの経路に設けられ前記水中ポンプから前記受水槽の内底面へ伝わる振動を遮る防振部とを有して構成されることを特徴とする請求項３に記載の受水槽付給水ポンプユニット。
【請求項５】
前記防振部は、前記バンド部の前記水中ポンプを挟み込む面および前記脚部の前記受水槽の内底面で受け止められる設置面のうちの少なくとも一方に、防振部材を設けて構成されることを特徴とする請求項４に記載の受水槽付給水ポンプユニット。
【請求項６】
前記防振部材は、シリコンゴムであることを特徴とする請求項５に記載の受水槽付給水ポンプユニット。
【発明の詳細な説明】
【技術分野】
【０００１】
本発明は、給水ポンプを受水槽内に組付けて構成される受水槽付給水ポンプユニットに関する。
【背景技術】
【０００２】
水道本管からの供給圧が規定されているために、マンションやアパートなど高層のビルでは、高層階において給水量が不足しやすい。そのため、ビルの多くでは、受水槽と給水ポンプとをそれぞれ据え付けて、受水槽で水道本管からの給水を受け、給水ポンプでこの受水槽内の水を圧送する給水システムを用いて、所望の給水量が確保されるようにしている。
【０００３】
しかし、このように別々に受水槽と給水ポンプとを設置する構造は、それぞれ独立して機器を据え付ける都合上、多くの据付スペースが必要となる問題がある。
【０００４】
そこで、受水槽の上部に給水ポンプを設置して構成される受水槽付の給水ポンプユニットを採用して、据付スペースの低減化（受水槽の一部がポンプの据付スペースを兼ねるため）を図ることが行われている。
【０００５】
ところで、ビルは高層化になる傾向にあり、それに伴い、受水槽付の給水ポンプユニットも、一層、高い給水性能（主に高揚程化）が求められる。
【０００６】
この給水性能を確保するには、今までよりも給水性能が高い給水ポンプを受水槽の上部に据え付けることになる。
【０００７】
ここで、給水ポンプは、給水性能が高くなるにしたがい大型化、特に幅寸法が大きくなる傾向にある。
【０００８】
ところが、受水槽の大きさは、容量や据付スペースなどの制約のために、代る給水ポンプの設置に必要なスペースを確保するのが難しい。
【０００９】
そのため、受水槽の上部に給水ポンプが据え付けることができなくなる問題がある。
【００１０】
一方、受水槽が付いた給水ポンプユニットには、受水槽の側部にポンプ搬入口部を形成して、水中ポンプを、同ポンプ搬入口部から内部へ突き出し、水中ポンプの吐出部側を受水槽の壁部にシール構造を介在させて固定して、所定の姿勢に据え付ける構造がある。
【００１１】
ここで、水中ポンプは、通常の給水ポンプに用いられる渦巻きポンプに比して、細長の製品で高い給水性能が発揮し得る特徴があるので、上記構造を用いて、高給水性能の水中ポンプ（給水ポンプ）を受水槽内に組付けることが考えられる。
【発明の開示】
【発明が解決しようとする課題】
【００１２】
ところが、このような受水槽内に水中ポンプを組込む構造は、据付スペース的には良いものの、給水ポンプのメンテナンスを考慮すると、かなり給水ポンプの据付構造が複雑になる問題がある。
【００１３】
すなわち、給水ポンプは、メンテナンスなどのために槽外へ取り出せるようにする必要がある。給水ポンプが水中ポンプの場合、ポンプ搬入部には、槽内の水が漏れずに、水中ポンプだけが槽内から取り出せるようにする構造が必要になる。このため、同構造の影響を受けて、かなり給水ポンプの据付け構造が複雑になる傾向にある。しかも、この構造のために、給水ポンプの現地での据付施工作業やメンテナンス作業がかなり面倒になる問題もある。そのうえ、給水ポンプの性能が上がることで、今まで問題視されなかったポンプ運転時の吐出流がもたらす受水槽の振動騒音の問題も生じる。
【００１４】
そこで、本発明の目的は、高い給水性能をもつ給水ポンプが、受水槽に、現地での据付施工やメンテナンスが容易で、さらには受水槽の振動騒音が抑えられるように組付く受水槽付給水ポンプユニットを提供することにある。
【課題を解決するための手段】
【００１５】
請求項１に記載の発明は、上記目的を達成するために、幅寸法が小さくて高い給水性能が発揮し得るという特徴のある水中ポンプを、水中ポンプの吐出部と受水槽の吐出口部との間が可とう性の管部材で接続される構造を用いて、受水槽の内底面側に置く構成を採用した。
【００１６】
請求項２に記載の発明は、さらに管部材を塩化ビニル製のホースとした。
【００１７】
請求項３に記載の発明は、さらに防振性を有するポンプ支え脚によって、水中ポンプが所望の姿勢で、振動の伝達を断つように、受水槽の内底面側に置かれるようにした。
【００１８】
請求項４に記載の発明は、さらにポンプ支え脚として、水中ポンプを周囲から挟み込んで保持するバンド部と、このバンド部で保持された水中ポンプを受水槽の内底面に載置させる脚部と、水中ポンプから受水槽の内底面へ伝わる振動を遮る防振部とを有する構成を採用した。
【００１９】
請求項５に記載の発明は、さらに防振部には、バンド部の水中ポンプを挟み込む面および脚部の受水槽の内底面で受け止められる設置面のうちの少なくとも一方に、防振部材を設けた構成を採用した。
【００２０】
請求項６に記載の発明は、さらに防振部材にはシリコンゴムを用いた。
【発明の効果】
【００２１】
請求項１に記載の発明によれば、水中ポンプの現地施工やメンメンテナンスなどは、受水槽の内外から水中ポンプを、受水槽と吐出部との間が可とう性の管部材が接続されたまま、受水槽のマンホールから搬入・出さえすればよく、容易な作業ですむ。しかも、受水槽と水中ポンプとの吐出部との間は、可とう性の管部材で接続されているので、水中ポンプの吐出流（脈流など）がもたらす振動は、水中下で変位する管部材で逃げて、受水槽には伝わるのが抑制されるので、振動騒音の低減も合わせて図ることができる。
【００２２】
それ故、据付性、作業性、低振動騒音を満足した、高給水性能をもつ受水槽付給水ポンプユニットが提供できる。
【００２３】
請求項２に記載の発明によれば、塩化ビニル製のホースにより、特に受水槽の振動騒音の低下に大きな効果をもたらす。
【００２４】
請求項３に記載の発明によれば、防振性を有するポンプ支え脚により、水中ポンプを所望の姿勢で受水槽の内底面が配置できる。しかも、ポンプ運転時、ポンプ支え脚を通じて受水槽へ伝わる、水中ポンプから発生する振動（周方向の振動など）は、ポンプ支え脚の防振性により遮られるので、一層、受水槽で生ずる振動騒音を低減させることができる。
【００２５】
請求項４に記載の発明によれば、上記効果に加え、さらに簡単なポンプ支え脚の構造ですむ。
【００２６】
請求項５に記載の発明によれば、防振部材を、水中ポンプが置かれた受水槽の部位へ伝わる振動を遮るのに好適な場所にレイアウトできる。
【００２７】
請求項６に記載の発明によれば、シリコンゴムにより、水中ポンプが置かれた受水槽の部位へ伝わる振動を効果的に遮ることができる。
【発明を実施するための最良の形態】
【００２８】
［一実施形態］
以下、本発明を図１ないし図３に示す一実施形態にもとづいて説明する。
【００２９】
図１は受水槽付給水ポンプユニットの全体の構成を示し、同図中１は例えば合成樹脂製の受水槽である。この受水槽１は例えば箱形をなしている。この受水槽１の例えば上壁の右側には、蓋体２で開閉可能に閉塞されたマンホール３、受水槽１内の水量を検出するフロートスイッチ４が設けられている。また受水槽１の右側の側壁上段には、外部から給水を受けるための給水口部５、該給水口部５を制御するボールタップ６、オーバーフロー管７が設けられていて、給水口部５を通じて、給水源、例えば水道管からの水が、受水槽１内に所定の液面レベルまで貯溜される構造にしている。なお、８は受水槽１の例えば右側の側壁下段に設けたドレン口部、９は該ドレン口部８を閉塞するドレンプラグを示す。
【００３０】
また受水槽１の上壁の左側には吐出口部１０が設けられている。
【００３１】
受水槽１の内部には、マンホール３を通じて水中ポンプ１２（給水ポンプ）が搬入されている。水中ポンプ１２は、例えば水中モータ１３と、タービンポンプ部１４を軸方向に直列に多段に連結してなる多段式ポンプ部１５とを直接に連結してなる構造で、水中モータ１３の端から多段式ポンプ部１５の端までの全体が細長をなしている。この水中ポンプ１２は、水中モータ１３と多段式ポンプ部１５との間に吸込口１６を有し、多段式ポンプ部１５の端部に吐出部１７とを有していて、水中モータ１３が作動すると、受水槽１内の水が吸込口１６から吸込まれて、同水が、順次、タービンポンプ部１４で加圧されながら、吐出部１７へ圧送されるようにしてある。この水中ポンプ１２にて、幅寸法を抑えた細長の構造ながら、高揚程の給水性能を確保している。この水中ポンプ１２が、受水槽１の内底面１ａに横たわるように置かれている（横向きの配置）。この水中ポンプ１２の吐出部１７と受水槽１の吐出口部１０の入口側（槽の内側）との間には、可とう性の管部材として、例えば塩化ビニル製のホース１９が渡され、両者を接続している。具体的には、ホース１９の両端部には、図２に示されるように例えばねじ込み式の接続具２０が組付けられていて、これら接続具２０を、図１に示されるように吐出口部１０の入口側に組付けてある受け具２１、多段式ポンプ１５の吐出部１７に組付けてある受け具（図示しない）に対してそれぞれ着脱可能にねじ込むことにより、ホース端と、吐出口部１０、吐出部１７とがそれぞれ接続される構造が用いてある。またホース１９は、受水槽１の内底面１ａに置かれた水中ポンプ１２がマンホール３から外部へ搬出させるのに必要な長さ寸法（全長）を有していて、ホース１９を接続したままで、水中ポンプ１２がマンホール３から槽外へ取り出せたり、ホース１９を接続したままで水中ポンプ１２をマンホール３から槽内へ入れるだけで、受水槽１の内底面１ａに水中ポンプ１２が横たわるようにしている。
【００３２】
また水中ポンプ１２は、所望の姿勢で、受水槽１の内底面１ａに置かれるよう、例えば吸込口１６を挟んだ水中モータ１３寄りの部分と多段式ポンプ部１５の端部寄りの部分との二個所には、防振性を有する一対のポンプ支え脚２３が組み付けられている。
【００３３】
ポンプ支え脚２３は、いずれも例えば図３に示されるように帯状のベース板２４と、該ベース板２４の一側面の両端側から突き出た一対のねじ軸２５と、これらねじ軸２５間に、ナット２６で位置決め固定される一対の半円形のバンド部材２７とを組み合わせた構造が用いられている。そして、ポンプ支え脚２３は、バンド部材２７で水中ポンプ１２の外形にならい各部（二箇所）を同じ向きで周囲から挟み込むことによって、水中ポンプ１２の外周部に組付けてある。また水中ポンプ１２の外周部から突き出るベース板２４によって、バンド部材２７で保持した水中ポンプ１２を受水槽１の内底面１ａに載置させている。
【００３４】
またこのポンプ支え脚２３の組付けで、水中ポンプ１２の重量的バランスが、ベース板２４およびねじ軸２５が有る側に重たくなるよう変わることを利用して、水で満たされた受水槽１内に水中ポンプ１２を搬入さえすれば、水中ポンプ１２の前後二つの各ベース板２４，２４が受水槽１の内底面１ａに載置されて、水中ポンプ１２が受水槽１の内底面に横たうようにしている。
【００３５】
つまり、ポンプ支え脚２３は、バンド部材２７が水中ポンプ１２を保持するバンド部とし、ベース板２４およびねじ軸２５を脚部として、水中ポンプ１２を持ち上げるように支える。そして、二つのポンプ支え脚２３、２３のうち、多段式ポンプ部１５側のポンプ支え脚２３の支持高さは、反対側の水中モータ１３側のポンプ支え脚２３の支持高さよりも高く定められていて、水中ポンプ１２の設置姿勢を、所望の姿勢、ここでは水中モータ１３内に封入された潤滑オイルの循環性に優れるという理由から、水中モータ１３側を多段式ポンプ１５側よりも低くした斜めの姿勢にしている。
【００３６】
またポンプ支え脚２３のうち、バンド部材２７（バンド部）からベース板２４（脚部）までの経路には、防振部２９が設けられていて、ポンプ支え脚２３に防振性を与えている。この防振部２９には、例えば図３に示されるようにバンド部材２７の水中ポンプ１２を挟み込む面２７ａ（バンド内面）と、ベース板２４の設置面となる内底面１ａで受け止められる下面２４ａとの双方に、それぞれ防振部材、例えばシリコンゴム３０を貼り付けた構造が用いられている。これにより、シリコンゴム３０が、水中ポンプ１２の外周部とバンド部材２７との間や、ベース板２４と受水槽１の内底面１ａとの間に介在される構造にしている。そして、このときの各シリコンゴム３０の振動吸収性能により、ポンプ運転時の水中ポンプ１２から、ポンプ支え脚２３を経て、受水槽１の内底面１ａへ伝わる振動を遮るようにしている。なお、振動の伝播を遮るシリコンゴム３０は、挟み込む面２７ａおよび下面２４ａのうちの一方でも構わない。
【００３７】
一方、受水槽１の上壁の左側には、例えば一定吐出圧一定給水制御に用いられる地上ユニット３１が組付けてある。この地上ユニット３１は、例えばハウジング３２内に、アキュムーレータ３３、各種バルブ（図示しない）、流量センサ３４および圧力センサ（図示しない）などが組付けられた吐出配管ユニット３５と、インバータ３６と、水中ポンプ１２を各種センサの情報によりインバータ制御する制御盤３７とを収めて構成される。そして、吐出配管ユニット３５の入口側パイプ３１ａの端部が、受水槽１の吐出口部１０の出口側（槽の外側）に接続されている。またインバータ３６は、例えばケーブル（図示しない）を通じて、水中モータ１３に接続されていて、制御盤３７からの制御にしたがい水中ポンプ１２を運転させて、同水中ポンプ１２から吐出される水を吐出配管３５の出口３５ａを通じて、給水を必要とする設備へ供給できるようにしている。
【００３８】
このように構成された受水槽付給水ポンプユニットであると、水中ポンプ１２の組込みは、受水槽１の吐出口部１０と水中ポンプ１２との間をホース１９で接続し、水中ポンプ１２を受水槽１内にねかせて置けばよいので、簡単ですむ。特に水中ポンプ１２は、ホース１９に接続されて受水槽１の内底面に置かれている（固定されていない）だけなので、給水ポンプユニットを使用している現地で、水中ポンプ１２をメンテナンスするときは、例えば持ち上げ具（図示しない）を用いて、受水槽１内の水面下で横たわっている水中ポンプ１２を持ち上げ、ホース１９が接続されたまま、マンホール３から槽外へ搬出すればよい。またメンテナンスを終えた水中ポンプ１２を再び受水槽１内に組込むときは、該水中ポンプ１２をマンホール３から受水槽１内へ搬入するだけで、水中ポンプ１２は、水中を沈んで、再び内底面１ａに横たわる（水中ポンプ１２の外形が細長であるため）。特に水中ポンプ１２にポンプ支え脚２３が有ると、重量バランスの変化を利用して、水中ポンプ１２は、所定の横向き姿勢、ここでは傾斜した姿勢にセットされる。
【００３９】
そのため、現地での水中ポンプ１２の組付施工やメンテナンスの作業は、容易である。しかも、受水槽１の吐出口部１０と水中ポンプ１２の吐出部１７とをむすぶ配管にはホース１９が用いられているから、ポンプ運転時、水中ポンプ１２の吐出流（脈流など）がもたらす振動は、水中下で変位するホース１９で逃げて、受水槽１へ伝わるのが抑制され、受水槽１の振動騒音も合わせて低減できる。
【００４０】
したがって、据付性、メンテナンス性、低振動騒音を満足した、高給水性能（高揚程）の受水槽付給水ポンプユニットが実現できる。特に塩化ビニル製のホース１９は、振動騒音の低下に良好な性能を示すことがわかった。
【００４１】
また水中ポンプ１２にポンプ支え脚２３を組付けたことにより、求められる設置姿勢が容易に確保できる。しかも、ポンプ運転時、ポンプ支え脚２３を通じて、受水槽１へ伝わる、水中ポンプ１２の各部から発生する振動（周方向（回転方向）の振動など）は、ポンプ支え脚２３の防振部材であるシリコンゴム３０により遮られるから、一層、受水槽１の振動騒音を低減させることができ、さらなる給水ポンプユニットの低騒音化を図ることができる。特に、ポンプ支え脚２３は、水中ポンプ１２を挟み込むバンド部材２７（バンド部）と、内底面１ａに載置させるベース板２４（脚部）とを組合わせ、この間の経路に防振部材を設けた構造なので、簡単な構造ある。しかも、防振部材は、水中ポンプ１２を挟み込む面２７ａ、ベース板２４の下面２４ａ（設置面）に設けたので、水中ポンプ１２から受水槽１の内底面１ａへ伝わる振動を遮るのには好適である。そのうえ、防振部材にはシリコンゴム３０を用いたので、水中ポンプ１２から内底面１ａへ伝わる振動の伝播を効果的に遮ることができた。
【００４２】
なお、本発明は上述した一実施形態に限定されるものではなく、本発明の主旨を逸脱しない範囲内で種々変更して実施しても構わない。例えば一実施形態では、受水槽の上部に地上ユニットを組付けた構造を一例に挙げたが、これに限らず、地上ユニットが他の受水槽の部位に有る構造でも、地上ユニットが受水槽に無い構造でもよい。また一実施形態では、水中ポンプを受水槽の内底面に、直接、置く構造を用いたが、これに限らず、内底面に仲介部材があり、その仲介部材を介して、間接的に、受水槽の内底面に水中ポンプを置く構造でも構わない。
【図面の簡単な説明】
【００４３】
【図１】本発明の一実施形態に係る受水槽付給水ポンプユニットを示す一部断面した正面図。
【図２】同ユニットの水中ポンプの吐出部と受水槽の吐出口部との間を接続する可とう性のホースを示す正面図。
【図３】同ユニットの水中ポンプを支えるポンプ支え脚の構造を示す正面図。
【符号の説明】
【００４４】
１…受水槽、３…マンホール、１０…吐出口部、１２…水中ポンプ、１３…水中モータ、１５…多段式ポンプ部、１７…吐出部、１９…ホース（可とう性の管部材）、２３…ポンプ支え脚、２４，２５…ベース板，ねじ軸（脚部）、２７…バンド部材（バンド部）、３０…シリコンゴム（防振部、防振部材）。
【図１】
2006028749.tif 000003
【図２】
2006028749.tif 000004
【図３】
2006028749.tif 000005